(57)【特許請求の範囲】
【請求項１】
コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の制御ノードと、前記複数の基地局の第２のグループを制御する第２の制御ノードとを含む複数の制御ノードと、
マルチセル領域に関する情報を格納する、前記無線アクセスネットワークに含まれる呼出制御ノードとを有し、
前記マルチセル領域は、前記第１のグループの基地局の少なくともいくつかによってサービスを受けるセルと、前記第２のグループの基地局の少なくともいくつかによってサービスを受けるセルとを含み、
前記コアネットワークは前記マルチセル領域がどのように定義されるのかを知らず、前記移動局が前記マルチセル領域において呼出を受けることになるとき、前記呼出制御ノードは、前記マルチセル領域に関する情報を用いて、前記マルチセル領域においてセルにサービスを行っている基地局に呼出メッセージを送信することを特徴とするネットワーク。
【請求項２】
前記呼出制御ノードが呼出メッセージを送信する制御ノードは、該制御ノードで制御され、前記マルチセル領域に含まれるセルのリストを格納することを特徴とする請求項１に記載のネットワーク。
【請求項３】
前記呼出制御ノードは、前記複数の制御ノードの１つであることを特徴とする請求項１に記載のネットワーク。
【請求項４】
前記第１の制御ノードと前記第２の制御ノードとは制御ノード間リンクによって接続され、
前記呼出メッセージは前記第１の制御ノードから前記第２の制御ノードに対して前記制御ノード間リンクによって送信されることを特徴とする請求項１に記載のネットワーク。
【請求項５】
前記移動局の呼出は前記コアネットワークによって開始され、
前記マルチセル領域は複数のセルを有するロケーション領域であることを特徴とする請求項１に記載のネットワーク。
【請求項６】
前記移動局の呼出は前記コアネットワークからのものであり、移動交換センタによって開始され、
前記呼出は前記移動局についての前記マルチセル領域の指示を含むことを特徴とする請求項１に記載のネットワーク。
【請求項７】
前記第１の制御ノードは前記呼出制御ノードであり、
前記呼出制御ノードは前記呼出メッセージを、前記第１のグループに含まれ、前記マルチセル領域におけるセルにサービスを行なう基地局に送信することを特徴とする請求項１に記載のネットワーク。
【請求項８】
コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の制御ノードと、前記複数の基地局の第２のグループを制御する第２の制御ノードとを含み、いずれか１つが呼出制御ノードとして役割を果たす複数の制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記呼出制御ノードは前記マルチセル領域の定義に関する情報を格納し、前記移動局が前記マルチセル領域において呼出を受けたとき、前記呼出制御ノードは前記マルチセル領域におけるセルにサービスを行なう基地局を制御する前記複数の制御ノードの内のもう１つに呼出メッセージを送信し、
前記呼出メッセージを送信するもう１つの制御ノードは、複数のマルチセル領域の少なくとも一部に対して送信を行い、
前記複数のマルチセル領域各々にはレイヤパラメータが割当てられ、
前記レイヤパラメータは前記呼出メッセージと共に、前記もう１つの制御ノードにより制御されるセルに対して送信されることを特徴とするネットワーク。
【請求項９】
前記レイヤパラメータは前記呼出制御ノードによってマルチセル領域に割当てられ、
前記第１の制御ノードと前記第２の制御ノードとは制御ノード間リンクによって接続され、
前記レイヤパラメータは前記制御ノード間リンクによって送信されることを特徴とする請求項８に記載のネットワーク。
【請求項１０】
コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の制御ノードと、前記複数の基地局の第２のグループを制御する第２の制御ノードとを含み、いずれか１つが呼出制御ノードとして役割を果たす複数の制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記呼出制御ノードは前記マルチセル領域の定義に関する情報を格納し、前記移動局が前記マルチセル領域において呼出を受けたとき、前記呼出制御ノードは前記マルチセル領域におけるセルにサービスを行なう基地局を制御する前記複数の制御ノードの少なくとも１つに呼出メッセージを送信し、
前記移動局がパケット交換サービスに加入しており、
前記移動局の呼出は前記無線アクセスネットワークによって開始され、
前記マルチセル領域はルーティング領域であることを特徴とするネットワーク。
【請求項１１】
コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは前記マルチセル領域の定義に関する情報を用いて、呼出メッセージを、（１）前記マルチセル領域に属する前記第１のグループの基地局、及び（２）前記第２の無線ネットワーク制御ノードに発信し、
前記マルチセル領域の定義に関する情報は、前記第１の無線ネットワーク制御ノードに格納され、前記コアネットワークには知られていないことを特徴とするネットワーク。
【請求項１２】
前記第１の無線ネットワーク制御ノードと前記第２の無線ネットワーク制御ノードとは無線ネットワーク制御ノード間リンクによって接続され、
前記呼出メッセージは前記第１の無線ネットワーク制御ノードから前記第２の無線ネットワーク制御ノードに対して前記無線ネットワーク制御ノード間リンクによって送信されることを特徴とする請求項１１に記載のネットワーク。
【請求項１３】
前記移動局の呼出は前記コアネットワークによって開始され、前記マルチセル領域は複数のセルを有するロケーション領域であることを特徴とする請求項１１に記載のネットワーク。
【請求項１４】
前記移動局の呼出は前記コアネットワークからのものであり、移動交換センタによって開始され、
前記呼出は前記移動局についての前記マルチセル領域の指示を含むことを特徴とする請求項１１に記載のネットワーク。
【請求項１５】
コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは呼出メッセージを、（１）前記マルチセル領域に属する前記第１のグループの基地局、及び（２）前記第２の無線ネットワーク制御ノードに発信し、
前記第２の無線ネットワーク制御ノードは、該第２の無線ネットワーク制御ノードで制御され、前記マルチセル領域に含まれるセルのリストを保持し、
前記第２の無線ネットワーク制御ノードは前記リストにあるセルに対して呼出メッセージを送信することを特徴とするネットワーク。
【請求項１６】
コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは呼出メッセージを、（１）前記マルチセル領域に属する前記第１のグループの基地局、及び（２）前記第２の無線ネットワーク制御ノードに発信し、
呼出メッセージを送信する前記第２の無線ネットワーク制御ノードは複数のマルチセル領域の少なくとも複数の部分に送信を行い、
前記複数のマルチセル領域各々はレイヤパラメータを割当てられ、
前記レイヤパラメータは、前記第２の無線ネットワーク制御ノードによって制御される前記セルに前記呼出メッセージとともに送信されることを特徴とするネットワーク。
【請求項１７】
コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは呼出メッセージを、（１）前記マルチセル領域に属する前記第１のグループの基地局、及び（２）前記第２の無線ネットワーク制御ノードに発信し、
前記移動局がパケット交換サービスに加入しており、
前記移動局の呼出は前記無線アクセスネットワークによって開始され、
前記マルチセル領域はルーティング領域であることを特徴とするネットワーク。
【請求項１８】
前記コアネットワークはどのように前記マルチセル領域が定義されるのかを知らないことを特徴とする請求項１７に記載のネットワーク。
【請求項１９】
コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは呼出メッセージを、（１）前記マルチセル領域に属する前記第１のグループの基地局、及び（２）前記第２の無線ネットワーク制御ノードに発信し、
前記呼出メッセージに応答する呼出応答メッセージが前記第２の無線ネットワーク制御ノードから受信されたとき、前記第１の無線ネットワーク制御ノードはムーブオーバ要求メッセージをコアネットワークに発行して、前記第１の無線ネットワーク制御ノードから前記第２の無線ネットワーク制御ノードへと前記移動局との接続制御を変更することを特徴とするネットワーク。
【請求項２０】
前記コアネットワークが前記第１の無線ネットワーク制御ノードから前記第２の無線ネットワーク制御ノードへと前記移動局との接続制御を変更した後、前記第２の無線ネットワーク制御ノードは前記コアネットワークに前記呼出応答メッセージを送信することを特徴とする請求項１９に記載のネットワーク。
【請求項２１】
コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
前記第１のグループの基地局の少なくともいくつかによってサービスを受けるセルと、前記第２のグループの基地局の少なくともいくつかによってサービスを受けるセルとを含むマルチセル領域を定義し、
前記第１の制御ノードが前記マルチセル領域の定義に関する情報を用いて、呼出メッセージを、（１）前記マルチセル領域に属する前記第１のグループの基地局、及び（２）前記第２の制御ノードに発信し、
前記マルチセル領域の定義に関する情報は、前記第１の制御ノードに格納され、前記コアネットワークには知られていないことを特徴とする方法。
【請求項２２】
前記第２の制御ノードにおいて、該ノードで制御され、前記マルチセル領域に含まれるセルのリストを格納し、
前記呼出メッセージを前記第２の制御ノードから前記リストにある前記セルにサービスを行う基地局に送信することを特徴とする請求項２１に記載の方法。
【請求項２３】
前記第１の制御ノードと前記第２の制御ノードとは制御ノード間リンクによって接続され、
前記呼出メッセージは前記第１の制御ノードから前記第２の制御ノードに対して前記制御ノード間リンクによって送信されることを特徴とする請求項２１に記載の方法。
【請求項２４】
さらに前記移動局の呼出を前記コアネットワークによって開始し、
前記マルチセル領域は複数のセルを有するロケーション領域であることを特徴とする請求項２１に記載の方法。
【請求項２５】
コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含む第１のマルチセル領域に関連した呼出要求メッセージを、前記無線アクセスネットワークの呼出制御ノードとしての役目を果たす前記第１の制御ノードと前記第２の制御ノードのいずれか一方において受信し、
前記無線アクセスネットワークの呼出制御ノードとしての役目を果たさない前記第１の制御ノードと前記第２の制御ノードの少なくとももう１方に対して呼出メッセージを送信するために、前記呼出制御ノードを用い、
前記呼出制御ノードが呼出メッセージを送信する前記制御ノードにおいて、該ノードで制御され、前記第１のマルチセル領域に含まれるセルのリストを格納し、
前記呼出制御ノードが前記呼出メッセージを送信する前記制御ノードは、前記第１のマルチセル領域を含む複数のマルチセル領域の少なくとも複数の部分に送信を行い、
前記複数のマルチセル領域各々にレイヤパラメータを割当て、
前記呼出メッセージを、前記呼出制御ノードが前記呼出メッセージを送信する前記制御ノードから、前記リストにある前記セルにサービスを行う基地局に送信し、
前記レイヤパラメータを前記呼出メッセージとともに、前記リストにある前記セルにサービスを行う前記基地局に対して送信することを特徴とする方法。
【請求項２６】
コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含むマルチセル領域に関連した呼出要求メッセージを、前記無線アクセスネットワークの呼出制御ノードにおいて受信し、
前記マルチセル領域においてセルにサービスを行う基地局を制御する前記複数の制御ノードの少なくとも１つに対して呼出メッセージを送信するために、前記呼出制御ノードを用い、
前記移動局がパケット交換サービスに加入しており、
前記移動局の呼出は前記無線アクセスネットワークによって開始され、
前記マルチセル領域はルーティング領域であることを特徴とする方法。
【請求項２７】
前記コアネットワークはどのように前記マルチセル領域が定義されるのかを知らないことを特徴とする請求項２６に記載の方法。
【請求項２８】
コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含むマルチセル領域に関連した呼出要求メッセージを、前記無線アクセスネットワークの呼出制御ノードにおいて受信し、
前記マルチセル領域においてセルにサービスを行う基地局を制御する前記複数の制御ノードの少なくとも１つに対して呼出メッセージを送信するために、前記呼出制御ノードを用い、
前記コアネットワークからの呼出を開始し、
前記呼出要求メッセージに前記移動局についての前記マルチセル領域の指示を含めることを特徴とする方法。
【請求項２９】
コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含むマルチセル領域に関連した呼出要求メッセージを、前記無線アクセスネットワークの呼出制御ノードにおいて受信し、
前記マルチセル領域においてセルにサービスを行う基地局を制御する前記複数の制御ノードの少なくとも１つに対して呼出メッセージを送信するために、前記呼出制御ノードを用い、
前記制御ノードの少なくとも１つからの呼出応答メッセージを前記呼出制御ノードに返却し、
前記呼出応答メッセージが受信されたとき、前記呼出制御ノードからムーブオーバ要求メッセージを前記コアネットワークに発行して、前記呼出制御ノードから、前記移動局が応答した前記複数の制御ノードの少なくとも１つへと前記移動局との接続制御を変更することを特徴とする方法。
【請求項３０】
前記コアネットワークが前記移動局との接続制御を変更した後、前記移動局が応答した前記複数の制御ノードの少なくとも１つは、前記コアネットワークに前記呼出応答メッセージを送信することを特徴とする請求項２９に記載の方法。
【請求項３１】
コアネットワークに接続され、各々の複数のセルにサービスを行う複数の基地局と、前記複数の基地局の第１のグループを制御する第１の制御ノードと、前記複数の基地局の第２のグループを制御する第２の制御ノードとを含む複数の制御ノードとを含み、前記複数の制御ノードの１つが初めに前記コアネットワークとパケット交換サービスに従事する移動局との間の制御を扱う無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含むマルチセル領域に関連した前記移動局に対する呼出要求メッセージを、前記無線アクセスネットワークの呼出制御ノードにおいて受信し、
前記マルチセル領域におけるセルにサービスを行う基地局を制御する前記制御ノードの少なくとも１つに対して呼出メッセージを送信するために、前記呼出制御ノードを用い、
前記移動局からの呼出応答メッセージを受信したときには、前記コアネットワークと移動局との間の接続の処理を別の制御ノードに移動させる要求を、前記呼出制御ノードにおいて、発生することを特徴とする方法。
【請求項３２】
前記コアネットワークが前記移動局との接続制御を移動させた後、前記接続を新たに扱う前記制御ノードは、前記コアネットワークに前記呼出応答メッセージを送信することを特徴とする請求項３１に記載の方法。
【請求項３３】
コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
第１のマルチセル領域は前記第１のグループの基地局の少なくともいくつかによってサービスを受けるセルと、前記第２のグループの基地局の少なくともいくつかによってサービスを受けるセルとを含み、
第２のマルチセル領域は前記第２のグループの基地局の少なくともいくつかによってサービスを受けるセルを含み、
前記第１及び第２のマルチセル領域を含むマルチセル領域にある前記移動局を呼出すため、前記第１の無線ネットワーク制御ノードは、一時的移動局識別子［ＴＭＳＩ］を含む呼出メッセージを、（１）前記マルチセル領域に属する前記第１のグループの基地局、及び（２）前記第２の無線ネットワーク制御ノードに発信し、
前記第２の無線ネットワーク制御ノードは前記複数のマルチセル領域各々にマルチセル領域レイヤパラメータを割り当て、
前記マルチセル領域レイヤパラメータは前記呼出メッセージとともに、前記リストにある前記セルに送信されることを特徴とするネットワーク。
【発明の詳細な説明】
【０００１】
背      景
本特許出願は、１９９８年３月６日出願の“通信における交換機間の輻輳制御（Telecommunications Inter-Exchange Congestion Control）”という名称の米国特許出願第０９／０３５，７８８号と、１９９８年３月６日出願の“通信における交換機間の測定転送（Telecommunications Inter-Exchange Measurement Transfer）”という名称の米国特許出願第０９／０３５，８２１号、及び１９９８年３月６日出願の“異なる基地局間で進行中の呼の負荷バランスのために移動通信ネットワークで用いられるシステム及び方法（System and Method used in a Mobile Telecommunications Network for Load Balancing Ongoing Calls between Different Base Station）”という名称の米国特許出願第０９／ 号（代理人ドケット：３４６４８−４０４ＵＳＰＴ）に関係しており、これらは全て参照としてここで組込まれる。
【０００２】
１．発明が属する技術分野
本発明は通信に関し、特に、セルラ通信システム内の移動局の呼出に関する。
【０００３】
２．従来技術及び他の考察
近年になってセルラ無線電話システムはますます一般的なものになっている。セルラ電話は、電話の分野では“移動局”或いは“移動端末”として言及されるもののただ１つの例に過ぎない。通信サービスはセルラ通信ネットワークと移動局（例えば、セルラ電話）との間で空中インタフェース、例えば、無線周波数によって提供される。どんなときにも、アクティブな移動局が空中インタフェースによって１つ以上の基地局と交信している。基地局は順にいえば基地局制御局（ＢＳＣ）によって管理される。ＢＳＣはまた、あるシステムでは無線ネットワーク制御局（ＲＮＣ）として知られている。無線ネットワーク制御局は制御ノードを介してコア通信ネットワークに接続されている。制御ノードのある例では、ＰＳＴＮ及び／或いはＩＳＤＮのような接続重視の回路交換ネットワークに接続する移動交換センタ（ＭＳＣ）ノードと、例えば、インターネットのようなパケット交換ネットワークに接続する汎用パケット無線サービス（例えば、ＧＰＲＳ）ノードを含んでいる。
【０００４】
各基地局の無線伝送は特定の地理的領域をカバーしている。ここで用いられているように、基地局の無線伝送が達する地理的な領域は“セル”と名付けられている。従って、“セル”のそのような定義は、その到達範囲が基地局は単一のセルをカバーするようになっているシステムとともに、基地局が１つ以上のセルにサービスを行うように“セル”という語が異なって用いられているシステムをも含んでいる。その到達範囲に係りなく、ハンドオフ或いはハンドオーバは移動局が古いセルから新しいセルへと移動するとき（例えば、移動局が異なった基地局及び、或いは異なるＲＮＣによってカバーされるセルへと移動するとき）に発生しなければならない。これによって、移動局はかなりの距離を“ローミング”することが可能になる。
【０００５】
移動局が移動できる範囲という観点からみると、移動通信システムの位置特定の管理は広大な範囲に及ぶ。数多くの地理的領域のレベルが利用される。この点に関して、セルは、大きな領域、例えば、ロケーション領域にグループ分けされる。ロケーション領域は複数の無線ネットワーク制御局（ＲＮＣ）によってサービスを受ける。ロケーション領域は、例えば、１９９７年８月２２日出願の“セルラ通信ネットワークにおける地理的制限（GEOGRAPHIC RESTRICTION IN CELLULAR TELECOMMUNICATION NETWORK）”という名称の米国特許出願シリアル番号第０８／９１６，２８５号によって議論され、この出願はここで参照として組込まれる。例えば、そのような位置特定管理方式の潜在的複雑さという観点からすれば、移動局の位置を追跡する努力がなされる一方、そのような努力に専従する無線資源を最小化する努力が払われている。
【０００６】
無線資源を無駄にしない１つの方法には位置特定の更新のメッセージをだすことが関係している。位置特定の更新において、アイドル状態にある（即ち、移動局とネットワークとの間に目下のところ接続がない）移動局が新しいロケーション領域に属するセルに移動するとき、移動局は、位置特定の更新として知られるメッセージを送信することにより、その所在を通知する。位置特定更新メッセージが送信されて、移動局に対して保持されるホームロケーションレジスタ（ＨＬＲ）とビジタロケーションレジスタ（ＶＬＲ）の両方が移動局とその所在についての適切な現在の情報をもっていなければならない。それから、ネットワークが移動局との接続を確立したり、データを交換する必要があるとき、その移動局は移動局によって通知された最後のロケーション領域内で呼出される。移動局はその呼出に、移動局が現在位置するセルからネットワークに呼出応答メッセージを送信することにより応答する。
【０００７】
上述したように、前述の位置特定の更新は、移動局がアイドル状態にあるときに（即ち、進行中の呼に関与していない）、用いられる。さらにその上、移動局がアイドル状態にあるときに、位置特定の更新は回路交換サービス（通話サービス及び／或いはデータサービスに関与できる）のみならず、パケット交換サービスにも同様に適用可能である。回路交換サービスではデータユーザはデータによる呼の間、無線ネットワークへの接続に連続的にリザーブされた無線資源をもつ一方、パケット交換サービスではそのユーザは、（１）移動局が送信することを望むとき、或いは、（２）ネットワークがその移動局に送信する何かがあるときにのみ、無線ネットワークへの接続にリザーブされた無線資源をもつ。言いかえると、パケット交換サービスでは移動局（例えば、移動端末をもつコンピュータ）はそのコンピュータが使用中にはネットワークへの接続に定常的にリザーブされる無線資源をもつのではなく、これら２つの伝送イベントの間だけ、それをもつのである。ＧＳＭ（汎欧州デジタル移動電話方式）システムで最近利用可能なパケット交換サービスの一例は、汎用パケット無線サービス（General Packet Radio Service）（ＧＰＲＳ）である。
【０００８】
パケット交換サービスに関連した接続の間、移動局がネットワークと接続されるとき、セルの更新、ルーティング領域の更新のような手順が採用される。移動局が新しいセルに移動するとき、セルレベルでその位置にあるネットワークを更新する。しかしながら、データ転送のない期間には、セルの更新は無線資源を無駄にする。その代わり、データ転送のない期間には、ルーティング領域の更新が用いられる。従って、そのルーティング領域の更新は典型的にはパケット交換接続の存続期間中にだけ発生する。ルーティング領域は１グループのセルである。そのルーティング領域は典型的にはロケーション領域よりも小さい。パケット交換サービスでのトラフィックはパケット転送のない長い期間があるにせよ非常に爆発的であるという性質があるので、ある接続に連続的に割り当てられた無線チャネルをもつことは無線資源の浪費である。その代わり、移動局が新しいルーティング領域に移動するとき、上述したロケーション領域の更新に類似しているが、その移動局は現在のロケーション、例えば、その現在のルーティング領域をもつネットワークに更新する。パケットがネットワークから移動局に送られることになり、その移動局の位置がルーティング領域のレベルだけで知られるとき、呼出メッセージが、移動局がその最後のルーティング領域を更新させるそのルーティング領域に属する全てのセルに送られる。
【０００９】
ロケーション領域とルーティング領域は、これらは一般には異なる目的をもっているのであるが、これ以後、マルチセル領域として言及される。セルはマルチセル領域より大きい領域に含まれる。そのようなセルを含む２つ以上のマルチセル領域は、“オーバラッピング”といわれる。オーバラッピングマルチセル領域を用いることで交換の（例えば、移動交換センタ（ＭＳＣ）間のような）境界領域での“ピンポン”効果を限定することができる。移動局が異なるマルチセル領域に属する２つのセル間を繰返し行き来するときに、ピンポン効果は発生する。そのピンポン効果が存在するとき、移動局はそのような行き来毎にそのマルチセル領域を更新しなければならない。さらにその上、ピンポン効果は、ネットワーク内、例えば、ＭＳＣ間で、たくさんの望まれない付加的な信号発信を発生させる。
【００１０】
現在のセルラ無線システムでは、呼出の配信は真に階層構造的な方法で扱われている。この点に関して、ＭＳＣは呼出を、移動局が呼び出されることになる領域内（例えば、ロケーション領域或いはルーティング領域）にあるセルを制御する全てのＲＮＣに対して配信する。それから、ＲＮＣは各呼出要求を、（１）ＲＮＣによって制御され、（２）移動局が呼び出されることになる領域内に位置し無線信号を送受信する全ての基地局に送信する。それから、その基地局は空中インタフェースによって実際の呼出信号を送信する。
【００１１】
ある呼出手順はＧＳＭ（汎欧州デジタル移動電話方式：Global System for Mobile Communications）内に収容される。例えば、１９９８年２月版のＧＳＭ09.02バージョン5.8.0、ＧＳＭ  ＭＡＰ仕様書６．２．１〜６．２．２章の呼出と探索（Paging and Search）は、ＶＬＲがＭＳＣからの呼出を要求する可能性を満たしている。この仕様書から確認されるように、ＶＬＲは移動局がおそらく位置すると思われるロケーション領域を知っており、ＢＳＣに送信されることになる呼出信号を形成する。しかしながら、ＭＳＣとＶＬＲとは１対１の関係をもっており、即ち、各ＭＳＣに対して１つのＶＬＲがある。ＭＳＣとＶＬＲとはまた、２つの異なるノードタイプであり、異なる機能タイプを表している。
【００１２】
ＧＳＭは、また、サービスを行うＧＰＲＳサポートノード（ＳＧＳＮ）がＭＳＣ／ＶＬＲからの呼出要求を受信することを可能にしている。ＳＧＳＮはパケット交換サービスのみを扱うタイプのＭＳＣであり、ＭＳＣ／ＶＬＲとは異なる機能をもっている。ＳＧＳＮでは、移動局がＧＰＲＳサービス（上述したように）にアタッチされている場合には、移動局が位置するルーティング領域が格納される。ＧＳＭ03.60、ＧＰＲＳサービスの説明の６．３章ＳＧＳＮとＭＳＣ／ＶＬＲ間の相互作用を参照されたい。
【００１３】
ＭＳＣ間呼出についてのパシフィックデジタルセルラ（Pacific Digital Cellular）標準において、ＴＴＣJJ-70.10、３．３．１．２章（１９９５）に表れているように、呼出の配信はアンカ移動交換センタ（ＡＭＳＣ）によって成し遂げられ、そこから呼の終了が他のＭＳＣへと伝えられる。従って、この標準には呼出配信（ＭＳＣレベルでなされる）においてコアネットワークが関係しており、そのコアネットワークがセル接続形態についての知識をもつことを要求している。
【００１４】
ある場合には、“コアネットワーク”（ＭＳＣが属する）と無線アクセスネットワーク（ＲＮＣを含む）との間の厳密な機能的な分割をもった通信ネットワークを備えることが望ましい。この厳密な機能的な分割に従えば、無線アクセスネットワークが全ての無線に関連した動作（例えば、どの基地局、セル、及びチャネルが用いられることになり、ある地理的領域内での無線射程範囲と能力を取得することについての知識）を扱う。言いかえると、コアネットワーク（具体的にはＭＳＣを含む）はセル構造に関する知識は有していないであろうし、さらに具体的にはどの特定のセルが与えられたロケーション領域を形成するのかを知らないであろう。
【００１５】
上述した厳密な機能的な分割をもつセルラネットワークにおいて、コアネットワークがアイドル状態にある移動局を呼び出す必要があるときに、問題が発生する。呼出がそのロケーション領域内にある全てのセルに対して送信されるべきである。しかしながら、コアネットワーク（例えば、ＭＳＣ）はその呼出がどのＲＮＣに送信されるべきであるのかを知らない。
【００１６】
パケット交換接続をもつ移動局についても同様の問題が存在する。パケット交換接続について連続的にリザーブされた無線資源はない。その代わり、その接続はルーティング領域の更新を用いて維持される。即ち、移動局が新しいルーティング領域にくるときに、その移動局はルーティング領域の更新メッセージをネットワークに送信する。移動局が現在のところ位置しているルーティング領域の身元はサービングＲＮＣ或いはＳＲＮＣとして知られる、移動局への接続を制御するＲＮＣに格納される。上述したピンポン効果を制限するために、移動局のルーティング領域は、移動局へのパケット交換接続の制御を現在行っているＲＮＣ以外のＲＮＣ（即ち、ＳＲＮＣ以外のもの）によって制御されるセルを含んでも良い。ＭＳＣがパケットを移動局に送信することになるときに問題が発生し、それゆえにルーティング領域に属する各セルについての基地局から移動局に呼出を行う必要がある。即ち、何とかして呼出がサービングＲＮＣ以外のＲＮＣによって送信される必要がある。しかし、厳密な機能分割では、ＭＳＣは無線アクセスネットワークの策定についての知識はもっておらず、従って、どのＲＮＣが移動局に呼出を行うことに関係すべきであるのかについての知識もない。
【００１７】
それゆえに、必要とされることと、本発明の目的とは、特に、コアネットワークが呼出メッセージがどのノードから発行されるべきであるのかを知らないとき、マルチセル領域にある移動局に呼出しを行う技術である。
【００１８】
簡  単  な  発  明  の  要  約
移動局にサービスを行う、通信ネットワークの無線アクセスネットワーク部はコアネットワークに接続されている。その無線アクセスネットワーク部は、各々の複数のセルにサービスを行う複数の基地局とともに、複数の制御ノードとをもつ。その制御ノードは、複数の基地局の第１のグループを制御する第１の制御ノードと、複数の基地局の第２のグループを制御する第２の制御ノードとを含んでいる。マルチグループ、マルチセルの環境において、そのマルチセル領域は、第１のグループの基地局の少なくともいくつかによってサービスを受けるセルと、第２のグループの基地局の少なくともいくつかによってサービスを受けるセルとを含んでいる。通信ネットワークの無線アクセスネットワーク部は、さらに、マルチセル領域に関する情報を格納する呼出制御ノードとを有している。
【００１９】
本発明の１つの態様では、そのマルチセル領域は、複数のセルを有する場所にある領域（ロケーション領域）である。この第１の態様では、コアネットワークは、そのロケーション領域についての、位置特定の更新、及び呼出開始について扱う。その第１の態様での位置特定の更新は、例えば、移動局がアイドル状態にあるとき、コアネットワークと移動局との間で発生し、そのような環境下では、回路交換サービスとパケット交換サービスとの両方に対して本質的に同じことをする。
【００２０】
移動局がパケット交換サービスに加入しており、更新が接続中に発生する本発明の別の態様では、そのマルチセル領域はルーティング領域であり、複数のセルを有している。ロケーション領域（第１）或いはルーティング領域（第２）モードのいずれかにおいて、移動局がマルチセル領域で呼出されるとき、呼出制御ノードは、（１）呼出制御ノードによって制御されるマルチセル領域にサービスを行う基地局各々に呼出メッセージを送信し、（２）マルチセル領域のセルにサービスを行う基地局を制御する他の制御ノードに呼出メッセージを送信する。呼出制御ノードは、呼出テーブルを参照することにより呼出メッセージを基地局に送信すべきか、或いは、他の制御ノードに送信すべきかを決定する。他の制御ノードは呼出メッセージを受信すると、それら他の制御ノードはＭＡＰネイティブセル構成要素表を参照して、それによってサービスを受けるどの基地局がマルチセル領域を含むのか、即ち、呼出メッセージがどの基地局に対して送信されるべきなのかを決定する。
【００２１】
好適には、呼出制御ノードは無線アクセスネットワークの制御ノードの１つである。その呼出制御ノードは制御ノード間リンクによって他の制御ノードに接続される。呼出メッセージはその制御ノード間リンクによって呼出制御ノードから第２の制御ノードへと送信される。
【００２２】
呼出メッセージへの応答は、サービスを行う無線ネットワーク制御局の指示を１つのＲＮＣノードから別のＲＮＣノードへとムーブオーバする契機となる。例えば、本発明の呼出制御ノードは、サービスを行う無線ネットワーク制御局の１つのＲＮＣノードから別のＲＮＣノードへとムーブオーバを開始する。サービスを行う無線ネットワーク制御局のムーブオーバは、第１のモード或いは第２のモードのいずれかの期間で発生する。
【００２３】
詳  細  な  説  明
次の説明では、限定ではなく説明の目的のため、本発明の完全な理解を提供するために特定のアーキテクチュア、インタフェース、技術などの具体的な詳細が説明される。しかしながら、当業者でにとっては、本発明がこれら具体的な詳細とは別の実施形態において実施されても良いことは明らかである。他の例では、公知の機器、回路、及び方法についての詳細な説明は省略され、本発明の説明を不必要な詳細な説明によってあいまいなものにしないようにしている。
【００２４】
図１はコアネットワークと無線アクセスネットワークの両方を含む通信ネットワークを示している。図１において、コアネットワークは破線２０より上で示されたものであり、無線アクセスネットワークは破線２０より下で示されたものである。コアネットワークは移動交換センタ（ＭＳＣ）１９を含んでいる。図１に示されているように、移動交換センタ（ＭＳＣ）１９は１つ以上の制御ノードをもつ無線アクセスネットワークに、特に、無線ネットワーク制御局２２1（ＲＮＣ１）と無線ネットワーク制御局２２2（ＲＮＣ２）に接続されている。移動交換センタ（ＭＳＣ）１９と無線ネットワーク制御局（ＲＮＣ１）２２1との間のそのような接続は陸上リンク２６1によって備えられ、移動交換センタ（ＭＳＣ）１９と無線ネットワーク制御局（ＲＮＣ２）２２2との間のそのような接続は陸上リンク２６2によって備えられる。
【００２５】
無線ネットワーク制御局２２1（ＲＮＣ１）は、無線アクセスネットワークを有する第１のグループの基地局、特に、図１の基地局x,yのｘ＝１のものを制御する。第１のグループを有する基地局ＢＳ1,yは、第１のグループの各セルＣx,yのｘ＝１のものにサービスを行う。同様に、無線ネットワーク制御局２２2（ＲＮＣ２）は、無線アクセスネットワークを有する第２のグループの基地局、特に、図１の基地局x,yのｘ＝２のものを制御する。第２のグループを有する基地局ＢＳ2,yは、第１のグループの各セルＣx,yのｘ＝２のものにサービスを行う。
【００２６】
図１のあるセルはここで、“マルチセル領域”或いは“ＭＣＡ”として参照されるものに含まれている。特に、右上がりの線と右下がりの線とでのクロスハッチングをもつ図１のセルＣはマルチセル領域を有している。言いかえると、無線ネットワーク制御局２２1（ＲＮＣ１）によってサービスを受けるセルＣ1,3からＣ1,8と無線ネットワーク制御局２２2（ＲＮＣ２）によってサービスを受けるセルＣ2,0からＣ2,5とはマルチセル領域を形成する。従って、ここで用いられているように、マルチセル領域或いはＭＣＡは複数のセルを有する領域であり、全てのセルが少なくとも１つのＲＮＣによってサービスを受けられるように１つ以上のネットワーク制御局（ＲＮＣ）によるサービスを必要としている。マルチセル領域を有するセルの基地局は図１において、各基地局を制御する特定のＲＮＣに陸上リンクによって接続されるように示されている。図示されているのではないが、比較しうる陸上リンクがそのマルチセル領域に含まれるのではなく、これらＲＮＣによって制御される別の基地局に対しても備えられる。
【００２７】
マルチセル領域は、基本セルのレベルに取って代わるセル組織のどのレベルでも良い。マルチセル領域の例は後でさらに詳細に検討するように、ロケーション領域とルーティング領域である。
【００２８】
ＲＮＣ間リンクとしても知られているＲＮＣ間トランスポートリンク３２は、無線ネットワーク制御局２２1（ＲＮＣ１）と無線ネットワーク制御局２２2（ＲＮＣ２）とを接続する。通常、ＲＮＣ間トランスポートリンク３２は、例えば、ＲＮＣ間ソフトハンドオーバを容易にする。この点に関し、ＲＮＣ間トランスポートリンク３２は、無線ネットワーク制御局２２1（ＲＮＣ１）と無線ネットワーク制御局２２2（ＲＮＣ２）との間の制御及びデータ信号の転送のために用いられる。ＲＮＣ間トランスポートリンク３２は、例えば、国際出願番号ＰＣＴ／ＵＳ９４／１２４１９（国際公開番号ＷＯ９５／１５６６５）に記述されているように、ダイレクトリンク或いは論理リンクのいずれかで良い。ＲＮＣ間トランスポートリンク３２は、トランスポートネットワーク及び／あるいは信号発信ネットワーク及び／或いはコアネットワークを経由して進行できる。
【００２９】
本発明の特異な特徴はさらに、ＲＮＣ間の呼出情報を搬送するためにＲＮＣ間トランスポートリンク３２を採用していることである。そのような採用は、セル状態情報（例えば、呼がセットアップされたセルに隣接するセルからの）或いは（呼認可及び呼輻輳の制御のような）ネットワーク決定に用いる輻輳メッセージを搬送するＲＮＣ間トランスポートリンク３２の他の使用に加えてのものである［１９９８年３月６日出願の“通信における交換機間の輻輳制御（Telecommunications Inter-Exchange Congestion Control）”という名称の米国特許出願シリアル番号第０９／０３５，７８８号と、１９９８年３月６日出願の“通信における交換機間の測定転送（Telecommunications Inter-Exchange Measurement Transfer）”という名称の米国特許出願シリアル番号第０９／０３５，８２１号（代理人ドケット：２３８０−４４）、及び１９９８年３月６日出願の“異なる基地局間で進行中の呼の負荷バランスのために移動通信ネットワークで用いられるシステム及び方法（System and Method used in a Mobile Telecommunications Network for Load Balancing Ongoing Calls between Different Base Station）”という名称の米国特許出願第０９／ 号（代理人ドケット：３４６４８−４０４ＵＳＰＴ）を参照のこと。これらは全てここで、参照として組込まれる］。
【００３０】
本発明に従えば、無線アクセスネットワークは呼出制御ノードを含む。ここで検討する図示した実施形態の例では、呼出制御ノードはＲＮＣの１つであり、特に、無線ネットワーク制御局２２1（ＲＮＣ１）である。図３Ａに関連して以下に説明するように、本発明の呼出制御ノードは、これ以後説明するように、表１によって擬似的に示されている呼出制御ノード呼出表１００を含む。
【００３１】
無線ネットワーク制御局２２1（ＲＮＣ１）の構成の例は、１つの特定のタイプの無線アクセスネットワークに関し図３Ａに示されている。無線ネットワーク制御局２２1（ＲＮＣ１）はスイッチ２４０を含む。ＲＮＣ制御ユニット２４２によって制御されるスイッチ２４０は複数のポートをもち、そのいくつかはダイバーシティハンドオーバユニット（ＤＨＵ）２３０に接続され、その他のものは種々のインタフェースに接続されている。ダイバーシティハンドオーバユニット（ＤＨＵ）２３０はタイミングユニット２４１に接続される。ＲＮＣ制御ユニット２４２はＲＮＣ２２1の各要素に接続される。ＲＮＣ２２1は信号発信インタフェース２４３を介して信号発信ネットワークに接続される。信号発信インタフェース２４２はＲＮＣ制御ユニット２４２に接続される。スイッチ２４０のポートに接続されるインタフェースはＭＳＣインタフェースユニット２４４、ＲＮＣインタフェースユニット２４６、及び基地局インタフェースユニット２４８を含む。ＭＳＣインタフェースユニット２４４は適切な移動交換センタ１９に接続される。ＲＮＣインタフェースユニット２４６はＲＮＣ間トランスポートリンク３２に接続される。基地局インタフェース２４８はＲＮＣ２２1によってサービスを受ける基地局（ＢＳ）のグループに接続される。
【００３２】
【表１】
0004444501.tif 000002
図３Ａの例では、呼出制御ノード呼出表１００はＲＮＣ制御ユニット２４２に格納される。表１に示されているように、表１に示されている呼出制御ノード呼出表１００はマルチセル領域ＭＣＡ−ＡからＭＣＡ−Ｊがあるマルチセル領域のリストを含んでいる。表１はマルチセル領域名についての列があり、表１の各行は特定の名前が付されたマルチセル領域に対応している。表１の第２列は呼出制御ノードによって制御されるＭＣＡにあるセル数を示す値をもち、表１の第３列は呼出制御ノードによって制御されるＭＣＡにあるセルのリストを含み、表１の第４列はＭＣＡにあるセルを制御する（呼出制御ノード以外の）ＲＮＣの数を示す値をもち、表１の第５列はこのＭＣＡにあるセルを制御する他のＲＮＣのリストを含む。表１の第６列はそのＭＣＡが属するレイヤ（“レイヤ”の概念は表２と図７とを参照してこの後議論する）を識別している。
【００３３】
表１は図１に図示されている特定のマルチセル領域であるＭＣＡ  Ａについての詳細のみを示している。詳細な情報は典型的には無線ネットワーク制御局（ＲＮＣ１）２２1が呼出制御ノードとしてサービスを行う別のマルチセル領域についてのそうした表にも含まれるものであることを理解されたい。
【００３４】
無線ネットワーク制御局（ＲＮＣ２）２２2の構造、即ち、この例では呼出制御ノードとしてサービスを行わない図１のＲＮＣは、図３Ｂに示されている。図３Ｂの無線ネットワーク制御局（ＲＮＣ２）２２2の構造と構成とは本質的には、図３Ａの無線ネットワーク制御局（ＲＮＣ１）２２1のそれと同じであり、その理由のために、同一の参照番号が図３Ａと図３Ｂの比較対応する要素に対して用いられている。しかしながら、無線ネットワーク制御局（ＲＮＣ２）２２2は呼出制御ノードではないので、無線ネットワーク制御局（ＲＮＣ２）２２2のＲＮＣ制御ユニット２４２は呼出制御ノード呼出表１００を含まない。むしろ、無線ネットワーク制御局（ＲＮＣ２）２２2のＲＮＣ制御ユニット２４２は、ここでＭＡＰネイティブセル構成要素表１０２として知られる別の表をもつ。
【００３５】
ＭＡＰネイティブセル構成要素表１０２の例は表２に図示されている。ここで検討される表２の特定の例について、ＭＡＰネイティブセル構成表１０２は、無線ネットワーク制御局（ＲＮＣ２）２２2が４つの別個のマルチセル領域、特に、ＭＣＡ−Ａ、ＭＣＡ−Ｂ、ＭＣＡ−Ｋ、及び、ＭＣＡ−Ｌにサービスを行うことを示している。各ＭＣＡに関し、表２は、呼出制御ノードの身元（表２の第２列）、無線ネットワーク制御局（ＲＮＣ２）２２2によって制御されるＭＣＡにあるセルの数（表２の第３列）、無線ネットワーク制御局（ＲＮＣ２）２２2によって制御されるＭＣＡにあるセルのリスト（表２の第４列）、ＭＣＡが存在するレイヤ（表２の第５列）をリストしている。表２で備えられている情報は基本的にはマルチセル領域ＭＣＡ−Ａのみに関してであるが、詳細な情報は典型的には無線ネットワーク制御局（ＲＮＣ２）２２2によって制御されるセルをもつ別のマルチセル領域についてのそうした表にも含まれるものであることを再び理解されたい。
【００３６】
【表２】
0004444501.tif 000003
表２のレイヤについての列は図７を参照して説明する。図７は、無線ネットワーク制御局（ＲＮＣ２）２２2によって少なくとも部分的にはサービスを受ける４つのマルチセル領域ＭＣＡ−Ａ、ＭＣＡ−Ｂ、ＭＣＡ−Ｋ、及び、ＭＣＡ−Ｌを示している。図示されているように、ＭＣＡ−Ａは部分的に無線ネットワーク制御局（ＲＮＣ２）２２2によってサービスを受ける（ＭＣＡ−Ａの別の部分は無線ネットワーク制御局（ＲＮＣ１）２２1によってサービスを受ける）。表２に説明されているように、無線ネットワーク制御局（ＲＮＣ２）２２2は、マルチセル領域のレイヤ、特に、図７に示されているように、レベル１とレベル２を保持する。図７で図示された状態で、マルチセル領域ＭＣＡ−Ａとマルチセル領域ＭＣＡ−Ｂとはレイヤ１にあり、一方、マルチセル領域ＭＣＡ−Ｋとマルチセル領域ＭＣＡ−Ｌとはレイヤ２にある。
【００３７】
従って、無線ネットワーク制御局（ＲＮＣ２）２２2は、無線ネットワーク制御局（ＲＮＣ２）２２2によって保持されるマルチセル領域のレイヤに各マルチセル領域を関係させる。このレイヤの指示は、マルチセル領域がオーバラップする場合には、特に重要である。図７は、マルチセル領域ＭＣＡ−Ａとマルチセル領域ＭＣＡ−Ｋとがオーバラップ領域ＯＡ−Ｑにおいてオーバラップしていることを示している。このレイヤ指示の重要性は、呼出メッセージにおいて、移動局が現在留まっているマルチセル領域に関する一時的な移動局識別子（ＴＭＳＩ）によって移動局ＭＳが識別されるという事実に由来する。マルチセル領域に関する移動局ＭＳに対するＴＭＳＩの割り当ては、別のマルチセル領域が別の移動局に対して同じＴＭＳＩを用いているかもしれないという事実によって複雑になる。言いかえると、異なるマルチセル領域は異なる移動局に対して同じＴＭＳＩを用いるかもしれないのである。
【００３８】
前述した観点からすれば、同じＴＭＳＩをもち、異なるマルチセル領域（ＭＣＡ−ＡとＭＣＡ−Ｋ）に属する２つの移動局は同じ時に、オーバラップ領域ＯＡ−Ｑにいるかもしれないことを理解すべきできる。もし、マルチセル領域ＭＣＡ−Ａにあるセルに関して呼出メッセージが、呼出された移動局のＴＭＳＩ以外の情報なく発行されたなら、両方の移動局が応答することが起きるかもしれない。しかしながら、本発明では、マルチセル領域ＭＣＡ−Ａに相対した無線ネットワーク制御局（ＲＮＣ１）２２1からの呼出メッセージの受信時で、かつ、イベント６−３の呼出メッセージを送信する前に、無線ネットワーク制御局（ＲＮＣ２）２２2はマルチセル領域ＭＣＡ−Ａがレイヤ１にあることを判断する。それゆえに、無線ネットワーク制御局（ＲＮＣ２）２２2は、その呼出メッセージの中にレイヤの指示を含む。オーバラップ領域ＯＡ−Ｑにある移動局、それは同じＴＭＳＩを認識するのであるが、そのレイヤパラメータから呼出メッセージはマルチセル領域ＭＣＡ−Ｋではなくむしろマルチセル領域ＭＣＡ−Ａに対して意図されたものであることを知り、それゆえに応答することはない。オーバラップ領域ＯＶ−Ｑ内にＴＭＳＩ値の二重割り当ての可能性があるにもかかわらず、その呼出メッセージに意図された移動局ＭＳだけが応答する。
【００３９】
従って、マルチセル領域が関係する本発明のある側面から見れば、各ＭＣＡはマルチセル領域（ＭＣＡ）レイヤに割当てられる。ＭＣＡレイヤパラメータの割り当ては呼出制御ノードによって実行される。マルチセル領域に対する呼出に関係する各ＲＮＣのセルには、ＭＣＡパラメータを含む呼出メッセージが送信される。このため、表１（無線ネットワーク制御局（ＲＮＣ１）２２1用）と表２（無線ネットワーク制御局（ＲＮＣ２）２２2用）とはＭＣＡパラメータを含んでいる。また、呼出メッセージはＭＣＡレイヤパラメータを含んでいる。
【００４０】
マルチセル領域のレイヤに関する限り、移動局ＭＳはまた、どのレイヤに登録されているか、或いは、どのレイヤに属しているかに気づいていなければならない。移動局ＭＳにマルチセル領域のレイヤを通知することはロケーション更新及び／或いはルーティング領域更新の手順で達成される。例えば、マルチセル領域レイヤパラメータはロケーション登録応答メッセージで直接的に備えられるか、或いは、移動局ＭＳとネットワークに、移動局ＭＳが登録を行っているセルのシステム情報で同報される“登録マルチセル領域”として公表されている特定のマルチセル領域（その対応するマルチセル領域レイヤパラメータを伴う）を選択可能とさせることにより間接的に備えられる。
【００４１】
本発明のマルチセル領域をレイヤ構造とする１つのシナリオでは、マルチセル領域は、そのマルチセル領域に属するセルをもつ全てのＲＮＣについて同じマルチセル領域レイヤパラメータをもつ。これに対して、別のシナリオでは、マルチセル領域は異なるマルチセル領域レイヤパラメータをもった異なるＲＮＣで監視される。この別のシナリオでは、ネットワークは全てのマルチセル領域情報（マルチセル領域レイヤパラメータを含む）を各セルの同報システム情報で公表する。移動局ＭＳを呼出すとき、各セル呼出メッセージは、各特定のセルに対して公表されているように、呼出された移動局ＭＳのマルチセル領域レイヤパラメータを含んでいる。この別のシナリオは本質的にはマルチセル領域レイヤパラメータをセルレベルに移動させ、表１と表２にあるＭＣＡレイヤパラメータを不要にしている。
【００４２】
本発明の動作の第１の態様の例は図１に関して図示されており、第２の態様の例は図２に関して図示されている。この第１の態様において、コアネットワークは位置特定の更新とその位置特定がされた領域についての呼出開始とを扱う。移動局がアイドル状態にあるとき、第１の態様の位置特定更新は、例えば、コアネットワークと移動局との間で発生し、そのような環境下では、回路交換サービスとパケット交換サービスの両方に対して本質的に同じことを行う。本発明の第２の態様は、マルチセル領域は複数のセルを有するルーティング領域であれば、移動局がパケット交換接続をもっているときに適用可能である。第２の態様では、無線アクセスネットワークは、ルーティング領域の更新とそのルーティング領域についての呼出開始を扱う。
【００４３】
第１の態様と第２の態様の両方に関係する一般的なイベントが包括的に図５と図６に図示されている。図５は基本的に無線ネットワーク制御局（ＲＮＣ１）２２1（これは図示された実施形態では呼出制御ノードとして機能する）によって実行されるイベントを示す一方、図６は基本的に無線ネットワーク制御局（ＲＮＣ２）２２2によって実行されるイベントを示す。
【００４４】
図５はイベント５−１として呼出制御ノード、特に、無線ネットワーク制御局（ＲＮＣ１）２２1が呼出メッセージを受信することを示している。ロケーション領域に属する本発明の態様では、移動局に対する呼出メッセージはコアネットワーク、特に、移動交換センタ（ＭＳＣ）１９で、図１のイベント５−１によって示された方法で創始される。図１のイベント５−１は従って、ＣＮ−ＲＡＮ呼出メッセージ、即ち、コアネットワーク−無線アクセスネットワーク呼出メッセージの受信である。これに対して、パケット交換サービスに属する本発明の第２の態様では、呼出は無線ネットワーク制御局、即ち、図２のイベント５−１’によって示されるように、無線ネットワーク制御局（ＲＮＣ２）２２2によって創始される。
【００４５】
図１に図示されているイベント５−１のＣＮ−ＲＡＮ呼出メッセージに関して、移動局ＭＳは以前に位置特定の更新或いはそれに相当するメッセージをコアネットワークに送信した。この更新に基づいて、移動局ＭＳに関するホームロケーションレジスタ（ＨＬＲ）は、適切なビジッティングロケーションレジスタ（ＶＬＲ）を指し示ている。ビジッティングロケーションレジスタ（ＶＬＲ）は移動局ＭＳについての現在のマルチセル領域ＭＣＡ−Ａを知っており、この情報を移動交換センタ（ＭＳＣ）１９に送る。ビジッティングロケーションレジスタ（ＶＬＲ）から移動交換センタ（ＭＳＣ）１９への呼出は、移動局ＭＳについての現在のマルチセル領域ＭＣＡ−Ａを搬送する。共通的に移動交換センタ（ＭＳＣ）１９とビジッティングロケーションレジスタ（ＶＬＲ）とは同じノード（ＭＳＣ／ＶＬＲで示されている）に一緒に配置されている。それから、移動交換センタ（ＭＳＣ）１９は表を参照してどのＲＮＣが移動局ＭＳが最後に位置したマルチセル領域に対する呼出制御ノードとしてサービスしているかどうかを決定する。図１の特別な例では、そのような呼出制御ノードは無線ネットワーク制御局（ＲＮＣ１）２２1であり、イベント５−１の呼出メッセージは無線ネットワーク制御局（ＲＮＣ１）２２1に送られる。イベント５−１の呼出メッセージは移動局ＭＳが最後に位置したマルチセル領域の識別子を含んでいる。
【００４６】
イベント５−１の呼出メッセージの受信時、イベント５−２として、呼出制御ノード（無線ネットワーク制御局（ＲＮＣ１）２２1）は、その呼出表をチェックし、呼出制御ノードによって制御されるどのセルに呼出メッセージが発行されるべきであるかを決定する。検討中の例では、その呼出制御ノードは表１をチェックし、無線ネットワーク制御局（ＲＮＣ１）２２1によって制御されるどのセルが呼出されるのかを決定する。表１から、無線ネットワーク制御局（ＲＮＣ１）２２1は、マルチセル領域識別子（ＭＣＡ−Ａ）を用いてそのようなセルの身元を取得して、表１の正しい列を突きとめる。呼出メッセージが送られることになるセルの身元は表１の第３列から集められる。イベント５−３として、呼出制御ノードは呼出メッセージを、その呼出制御ノードによって制御されるマルチセル領域に属するセルについて、基地局に送信する。
【００４７】
イベント５−４として、呼出制御ノードはまた、イベント５−１の呼出メッセージによって識別されるマルチセル領域が呼出制御ノード以外のＲＮＣによって制御されるセルを含んでいるかどうかを決定する。そのようなことは、図１の例がその場合である。なぜなら、無線ネットワーク制御局（ＲＮＣ２）２２2はマルチセル領域ＭＣＡ−Ａを含む第２のグループのセル（即ち、セルＣ2,0からＣ2,5）を制御するからである。
【００４８】
イベント５−１の呼出メッセージによって識別されるマルチセル領域が呼出制御ノード以外のＲＮＣによって制御されるセルを含む場合、その呼出制御ノード（即ち、無線ネットワーク制御局（ＲＮＣ１）２２1）はＲＮＣ間トランスポートリンク３２で呼出メッセージをイベント５−６としてそのような他のＲＮＣに送信する。
【００４９】
イベント５−６としてそのような他のＲＮＣにＲＮＣ間トランスポートリンク３２で送信される呼出メッセージのフォーマットの例が図４Ａに示されている。イベント５−６の呼出メッセージは、その呼出メッセージの宛て先となっているノード、例えば、無線ネットワーク制御局（ＲＮＣ２）２２2を識別するヘッダ４Ａ−１を含む。加えて、イベント５−６の呼出メッセージは、その呼出メッセージが発行された呼出制御ノードの身元（フィールド４Ａ−２として）と、同様に、その呼出の発行先のマルチセル領域の識別子（フィールド４Ａ−３として）を特定する。加えて、イベント５−６の呼出メッセージは、呼出された移動局ＭＳの身元を含む典型的な呼出情報（フィールド４Ａ−４によって示されている）を含んでいる。図７に関して既に検討されたように、マルチセル領域をレイヤ化した構造にする場合、図４Ａの呼出メッセージはまた、マルチセル領域レイヤパラメータ（例えば、呼出制御ノードによって割り当てられるように）を特定するフィールド４Ａ−５を含む。
【００５０】
イベント５−５は呼出応答を待ち合わせる呼出制御ノードを示している。その呼出応答は、イベント５−３で送信された呼出メッセージに応答して無線ネットワーク制御局（ＲＮＣ１）２２1によって制御されたセルの１つから到来するかもしれない。或いは、図６に関連してより詳細に説明されているように、その呼出制御ノードは、イベント５−６として送信された呼出メッセージに応答して、他のＲＮＣ、例えば、無線ネットワーク制御局（ＲＮＣ２）２２2からの呼出応答をＲＮＣ間トランスポートリンク３２によって受信するかもしれない。呼出応答の受信はイベント５−３以後は如何なるときでも発生し、タイムアウト時間は好ましくは呼出応答メッセージが受信されねばならない時間内に設けられることを理解すべきである。
【００５１】
図６は、図５のイベント５−６の呼出メッセージの受信時に、他のＲＮＣ、例えば、無線ネットワーク制御局（ＲＮＣ２）２２2によって実行されるイベントを示す。ＲＮＣ間呼出メッセージとしても知られているイベント５−６の呼出メッセージがＲＮＣ間トランスポートリンク３２によって受信される。イベント５−６の呼出メッセージをＲＮＣ間トランスポートリンク３２によって受信するとき（イベント６−１）、イベント６−２として、無線ネットワーク制御局（ＲＮＣ２）２２2は、そのＭＡＰネイティブセル構成要素表１０２（図３Ｂ及び表２を見よ）を参考にする。イベント６−２のチェックは、無線ネットワーク制御局（ＲＮＣ２）２２2によって制御されるどのセルがイベント５−６の呼出メッセージによって識別されるマルチセル領域に属しているのかを決定するためのものである。イベント６−２のチェックの後、イベント６−３として、無線ネットワーク制御局（ＲＮＣ２）２２2は、その呼出メッセージをＲＮＣ−ＢＳ呼出メッセージとして、そのようなマルチセル領域にありそれによって制御されるセルへと送信する。
【００５２】
図１に示されているように、実はたまたま、イベント６−３の呼出メッセージが送信されるとき、移動局ＭＳはセル2,0にいる。セル2,0の移動局ＭＳはそのインタフェースで基地局ＢＳ2,0からの呼出を受信する。空中インタフェースによって受信した呼出メッセージに応答して、移動局ＭＳは空中インタフェースによって基地局ＢＳ2,0に、呼出応答メッセージ（ＭＳ−ＢＳ呼出応答メッセージ）を返却する。イベント６−４によって示されるように、基地局ＢＳ2,0はその呼出応答メッセージ（ＢＳ−ＲＮＣ呼出応答メッセージ）を無線ネットワーク制御局（ＲＮＣ２）２２2に送る。イベント６−４の呼出応答メッセージの受信時に、イベント６−５として、無線ネットワーク制御局（ＲＮＣ２）２２2は、ＲＮＣ間トランスポートリンク３２によって呼出応答メッセージ（ＲＮＣ間呼出応答メッセージ）を呼出制御ノード、即ち、無線ネットワーク制御局（ＲＮＣ１）２２1に送信する。イベント６−５の呼出応答メッセージの受信時、無線ネットワーク制御局（ＲＮＣ１）２２1は、コアネットワークからの発呼者と移動局ＭＳとの間の接続を行うように機能する。
【００５３】
イベント６−５として無線ネットワーク制御局（ＲＮＣ２）２２2から無線ネットワーク制御局（ＲＮＣ１）２２1にＲＮＣ間トランスポートリンク３２で送信される呼出応答メッセージのフォーマットの例が図４Ｂに示されている。イベント６−５の呼出応答メッセージは、その呼出応答メッセージの宛て先となっているノード、例えば、無線ネットワーク制御局（ＲＮＣ１）２２1を識別するヘッダ４Ｂ−１を含む。加えて、イベント６−５の呼出応答メッセージは、その呼出応答メッセージが発行された呼出制御ノードの身元（フィールド４Ｂ−２として）と、同様に、その呼出の発行先のマルチセル領域の識別子（フィールド４Ｂ−３として）を特定する。加えて、イベント６−５の呼出応答メッセージは、呼出された移動局ＭＳの身元を含む典型的な呼出応答情報（フィールド４Ｂ−４によって示されている）を含んでいる。図７に関して既に検討されたように、マルチセル領域をレイヤ化した構造にする場合、図４Ｂの呼出メッセージはまた、マルチセル領域レイヤパラメータを特定するフィールド４Ｂ−５を含む。
【００５４】
図５では、簡単のために、イベント５−６がイベント５−３のような若い番号が付されたイベントに続いて発生するように示されている。しかしながら、ＲＮＣ２２2によって制御されたセルに関して発生するイベントが、例えば、ＲＮＣ２２1によって制御されるセルで呼出をすることと本質的に同時的であるような別の方法で発生するように時間を合わせるような場合であることは必ずしも必要ではない。
【００５５】
前述の説明では、移動交換センタ（ＭＳＣ）２２は各ロケーション領域について１つのＲＮＣのアドレスだけを格納する必要がある。このＲＮＣがそのロケーション領域の呼出制御ノードである。そのような呼出制御ノードＲＮＣはそのロケーション領域内にセルをもっていることが好ましい。それから呼出が、（１）制御下にあるどのセルがロケーション領域の一部であるのか、そして、（２）（もしあれば）どの別のＲＮＣがそのロケーション領域内にセルをもっているのかについての知識を（呼出制御ノード呼出表１００を介して）もつ呼出制御ノードに送られる。従って、移動交換センタ（ＭＳＣ）２２から呼出メッセージを受信した呼出制御ＲＮＣは、その呼出を、（１）そのロケーション領域にあるセルに対応し制御下にある全ての基地局、及び、（２）そのロケーション領域内にあるセルをもつ全ての他のＲＮＣにＲＮＣ間トランスポートリンク３２によって配信する。その他のＲＮＣ各々はそれら制御下にあるどのセルがそのロケーション領域の一部であるのかを知っている（例えば、ＭＡＰネイティブセル構成要素表１０２を参照）。これら他のＲＮＣは、これらのＲＮＣが制御し、そのロケーション領域の一部であるセルに対して、呼出メッセージを配信する。
【００５６】
パケット交換接続の環境で、呼出は、例えば、無線ネットワーク制御局（ＲＮＣ１）２２1と図２のイベント５−１’によって示されているようにＲＮＣによって始められる。本発明の第２の態様では、マルチセル領域はルーティング領域で良い。他の点については、図２の第２の態様のイベントは本質的には第１の態様と図１に関して上述したのと同じである。
【００５７】
一般に、無線アクセスネットワークへの接続がある各移動局ＭＳに関して、サービングＲＮＣ（ＳＲＮＣ）としての役目を果たすＲＮＣがある。サービングＲＮＣ（ＳＲＮＣ）は移動局ＭＳと無線アクセスネットワークとの間の接続とともにコアネットワークへの接続をも扱う。ＳＲＮＣは移動局ＭＳの位置を格納し、パケット交換接続の場合には、特に、移動局ＭＳのルーティング領域を格納する。
【００５８】
本発明はまた、図１と図２の両方の態様に関し、呼出に関連してＳＲＮＣムーブオーバ手順の開始にも関連している。ＳＲＮＣムーブオーバ手順の３つの異なる手順が、図１Ａ、図１Ｂ、及び、図１Ｃに関して、夫々、図示されている。
【００５９】
ＳＲＮＣムーブオーバの３つのシナリオ各々は、図５と図６に記述されている種々のイベントに続く（例えば、その後発生する）。この点に関して、図５の概要では、呼出接続ノード（例えば、ＳＲＮＣ）が呼出要求を、その呼出を始めたＳＲＮＣによって制御される基地局を含め、ルーティング領域内にセルをもつ全てのＲＮＣに送信する。その呼出はＲＮＣ間トランスポートリンク３２を用いる。それから、他のＲＮＣはその呼出を図６に関連して説明される方法のように、配信する。図示されたＳＲＮＣムーブオーバの３つのシナリオでは、無線ネットワーク制御局（ＲＮＣ１）２２1は、特定の移動局ＭＳについてのサービングＲＮＣ（ＳＲＮＣ）である。無線ネットワーク制御局（ＲＮＣ１）２２1と無線ネットワーク制御局（ＲＮＣ２）２２2の両方とも、基地局呼出メッセージをルーティング領域にあるセルに対応する全ての基地局に配信する。さらに、基地局は空中インタフェースによって呼出チャネルにある呼出メッセージを各セルに送信する。移動局ＭＳはそのセルの１つで応答する。応答時、呼出応答メッセージはＲＮＣで受信される。
【００６０】
３つのＳＲＮＣムーブオーバシナリオで、移動局ＭＳからの呼出応答を受信するＲＮＣがＳＲＮＣ（即ち、呼出配信を始めたＲＮＣ）とは別のものであることが仮定されている。
【００６１】
図１Ａで図示されたＳＲＮＣムーブオーバの第１のシナリオでは、無線ネットワーク制御局（ＲＮＣ１）２２1は、サービングＲＮＣ（ＳＲＮＣ）機能（例えば、移動局ＭＳと無線アクセスネットワークとの接続とともにコアネットワークへの接続の処理など）のムーブオーバを開始する。即ち、サービングＲＮＣ（ＳＲＮＣ）、例えば、無線ネットワーク制御局（ＲＮＣ１）２２1（これは呼出制御ノードとしての役割も果たす）は、別のＲＮＣ（例えば、無線ネットワーク制御局（ＲＮＣ２）２２2）が移動局ＭＳからの呼出応答メッセージを受信したことを、イベント６−５から判断する。ＳＲＮＣムーブオーバの完了時、無線ネットワーク制御局（ＲＮＣ２）２２2（無線ネットワーク制御局（ＲＮＣ１）２２1ではなく）が、移動局ＭＳに対するサービングＲＮＣ（ＳＲＮＣ）として考えられる。図１Ａのシナリオでは、呼出応答メッセージはＲＮＣ間トランスポートリンク３２によって、上述した方法で、イベント６−５としてＳＲＮＣ（即ち、無線ネットワーク制御局（ＲＮＣ１）２２1）に戻される。
【００６２】
図１ＡのＳＲＮＣムーブオーバシナリオでは、イベント６−５の後、イベント１Ａ−１で示されているように、呼出制御ノード（無線ネットワーク制御局（ＲＮＣ１）２２1）が移動交換センタ（ＭＳＣ）１９を介してコアネットワークにＳＲＮＣムーブオーバ要求メッセージを送信する。イベント１Ａ−１のＳＲＮＣムーブオーバ要求メッセージは、移動局ＭＳの身元とともに、移動局ＭＳに対して新しいサービングＲＮＣ（ＳＲＮＣ）としてサービスを行うＲＮＣ（例えば、無線ネットワーク制御局（ＲＮＣ２）２２2）のアドレスとを示している。
【００６３】
イベント１Ａ−１のＳＲＮＣムーブオーバ要求メッセージの受信時、コアネットワークはイベント１Ａ−２として新しいサービングＲＮＣ（ＳＲＮＣ）［例えば、無線ネットワーク制御局（ＲＮＣ２）２２2］にコンタクトする。イベント１Ａ−２のコンタクトへの応答で、無線ネットワーク制御局（ＲＮＣ２）２２2は、イベント１Ａ−３に示されているように、移動局ＭＳからの呼出要求メッセージを直接コアネットワークに送信できる。従って、コアネットワークと新しいサービングＲＮＣ（ＳＲＮＣ）（即ち、無線ネットワーク制御局（ＲＮＣ２）２２2）との間の接続が確立される。
【００６４】
前述した第１のＳＲＮＣムーブオーバシナリオで、無線ネットワーク制御局（ＲＮＣ１）２２1からコアネットワークに送られるＳＲＮＣムーブオーバ要求メッセージは、（呼出要求メッセージがイベント５−６としてＲＮＣ間トランスポートリンク３２によって無線ネットワーク制御局（ＲＮＣ１）２２1によって受信されるので）移動局ＭＳからの呼出応答メッセージを含むか、或いは、伴うことができることを理解すべきである。
【００６５】
第２のＳＲＮＣムーブオーバシナリオでは、移動局ＭＳから呼出要求メッセージを受信したＲＮＣ、即ち、無線ネットワーク制御局（ＲＮＣ２）２２2は、呼出制御ノード（即ち、無線ネットワーク制御局（ＲＮＣ１）２２1）に関係することなく、イベント１Ｂ−１としてコアネットワーク（即ち、ＭＳＣ１９）に直接に呼出応答メッセージを送信する。従って、第２のＳＲＮＣムーブオーバシナリオでは、イベント６−５は発生しない。むしろ、無線ネットワーク制御局（ＲＮＣ２）２２2からコアネットワークに呼出応答メッセージを送ることで、コアネットワークに、移動局に対するＳＲＮＣとして無線ネットワーク制御局（ＲＮＣ２）２２2に変更するように促す。以前のＳＲＮＣ（即ち、無線ネットワーク制御局（ＲＮＣ１）２２1）は呼出メッセージを送信後、応答がないのでタイムアウトになるとき、移動局ＭＳの呼出に関して、さらなる動作が無線ネットワーク制御局（ＲＮＣ１）２２1で実行されることはない。
【００６６】
第２のシナリオに似ている第３のＳＲＮＣムーブオーバシナリオ（図１Ｃを参照）では、移動局ＭＳから呼出応答メッセージを受信したＲＮＣがイベント１Ｂ−１として呼出応答メッセージを直接にコアネットワーク（即ち、ＭＳＣ１９）に送信するので、呼出制御ノード（即ち、無線ネットワーク制御局（ＲＮＣ１）２２1）に関係することはない。加えて、図１Ｃの第３のＳＲＮＣムーブオーバシナリオでは、新しいＳＲＮＣ（即ち、無線ネットワーク制御局（ＲＮＣ２）２２2）は、移動局ＭＳが応答したことを通知する呼出制御ノード（即ち、以前のＳＲＮＣ、無線ネットワーク制御局（ＲＮＣ１）２２1）にアドバイザリメッセージを送信する。
【００６７】
ＳＲＮＣムーブオーバの前述した３つのシナリオを第１の態様（ロケーション領域に関係する）の環境でのみ説明したが、３つのシナリオは等しく第２の態様（ルーティング領域に関係する）にも適用可能であることを理解すべきである。第２の態様では、呼出がコアネットワークによるのではなくＲＡＮ（図２のイベント５−１’に相対して前に述べた様に）によって始められる。さらにその上、本発明の第２の態様では、呼出応答は第１の態様の場合のようにコアネットワークには返らない。
【００６８】
ＳＲＮＣムーブオーバは上述した事柄以外の理由によっても促されることを理解すべきである。例えば、ＳＲＮＣムーブオーバはルーティング領域の更新、セルの更新、ソフトハンドオーバ（マクロダイバーシティ  スプリッティング／コンバイニング）のようなダイバーシティの処理のような理由によって始めても良い［１９９７年１１月２６日出願の“ＣＤＭＡ移動通信のためのダイバーシティハンドリングムーブオーバ”という名称の米国特許出願シリアル番号第０８／９８０，０１３号を参照されたい。この出願はここで参照によって組込まれる］。
【００６９】
本発明により、ロケーション領域とルーティング領域が１つ以上のＲＮＣをカバーすることが可能になる。さらにその上、コアネットワークがロケーション領域或いはルーティング領域に関して無線アクセスネットワークの内部構成を知る必要がないのは有利な点であり、これによって、コアネットワークと無線アクセスネットワークとの間の厳密な機能的な分割を可能にしている。言いかえると、本発明の呼出配信が無線アクセスネットワーク内で全体的に成し遂げられ、従って、コアネットワークから隠されている。
【００７０】
さらにその上、（図７に説明されているように）ロケーション領域とルーティング領域とのオーバラップが可能であり、そのようなオーバラップ形態はコアネットワークからは隠されており、コアネットワークに影響を与えることもない。従って、オーバラップするマルチセル領域が、コアネットワークに重大な影響を与えることなく、無線アクセスネットワークに導入される。この点について、ＧＳＭを基幹としたコアネットワークに関して、わずかな変形がそのコアネットワークに必要とされるだけなので、これは特に有利な点である。
【００７１】
前述の事柄は、２つのＲＮＣをもち、夫々のＲＮＣが９つの基地局を制御し、１２個のセル（これらの内、６個が無線ネットワーク制御局（ＲＮＣ１）２２1によって制御され、６個が無線ネットワーク制御局（ＲＮＣ２）２２2によって制御される）を有するマルチセル領域をもった無線アクセスネットワークについて説明している。前述のネットワーク形態は単なる一例に過ぎず、他のネットワーク形態も本発明によって包含されていることを理解すべきである。この点について、前述のパラメータは重大なものではない。例えば、ＲＮＣの数は変えることができるし、また、各ＲＮＣによって制御される基地局の数もまた変えることができる。さらにその上、マルチセル領域を有するセルの数は各実施形態毎に変化するであろうし、また、ＲＮＣに対するマルチセル領域を構成するセル数の関与も変化するであろう。マルチセル領域は２つ以上のＲＮＣによってサービスを受けても良いし、その場合には呼出制御ノード（例えば、図示された実施形態では無線ネットワーク制御局（ＲＮＣ１）２２1）はそのような他のＲＮＣにイベント５−６の呼出メッセージを同様に送信するであろうことがすぐに認識されるべきである。
【００７２】
図示した実施形態では、呼出制御ノードはＲＮＣの１つ、特に、無線ネットワーク制御局（ＲＮＣ１）２２1であるように選択された。当業者であれば、その呼出制御ノードがその代わりに、他のＲＮＣ、或いは、ＲＮＣではないノードでさえも良いことを理解すべきである。例えば、呼出制御ノードは、無線アクセスネットワークのＲＮＣの１つにサービスを行う特化したノードでも良い。さらに、その呼出制御ノードはいくつかのＲＮＣにサービスを行っても良い。
【００７３】
図３に示されているように無線ネットワーク制御局（ＲＮＣ１）２２1の構成はただ１つの図示した例であり、他の構成は本発明と整合性をとって用いられることも理解すべきである。さらにその上、図３において、呼出制御ノード呼出表１００がＲＮＣ制御ユニット２４２に含まれていたが、呼出制御ノード呼出表１００はどこにでも配置できることを認識すべきである。
【００７４】
本発明は、現在のところ最も実際的であり、好適な実施形態であると考えられるものに関連して説明がなされたが、本発明は開示された実施形態に限定されるものではなく、それとは反対に、添付した請求の範囲の精神や範囲の中に含まれる全ての変形物や同等の構成物を含むことが意図されていることを理解すべきである。
【図面の簡単な説明】
本発明の前述した、また、他の目的、特徴、及び、利点は、その参照番号で同じ部分に対して種々の観点から言及されている添付図面で図示されているような好適な実施形態についてのより詳細な説明から明らかであるが、その図面は次の通りである。これらの図面に縮尺をつける必要は必ずしもないが、その代わりに本発明の原理を説明するに当たっての強調点が付されている。
【図１】  例えば、種々の呼出に関連したイベントを示す本発明の第１の態様に従った通信ネットワークの図である。
【図１Ａ】、
【図１Ｂ】、
【図１Ｃ】  通信ネットワークのＳＲＮＣムーブオーバのシナリオを夫々、示す図である。
【図２】  例えば、種々の呼出に関連したイベントを示す本発明の第２の態様に従った通信ネットワークの図である。
【図３Ａ】  本発明の態様に従って呼出制御ノードとして動作する無線ネットワーク制御局（ＲＮＣ）の例を示す図である。
【図３Ｂ】  呼出制御ノードとしては動作しないが、にもかかわらず、呼出制御ノードがコアネットワークから呼出メッセージを受信するマルチセル領域の中のセルを制御する無線ネットワーク制御局（ＲＮＣ）の例を示す図である。
【図４Ａ】  図３Ａの無線ネットワーク制御局から図３Ｂの無線ネットワーク制御局にＲＮＣ間トランスポートリンクによって送信される呼出メッセージについてのフォーマット例を図示したものである。
【図４Ｂ】  図３Ｂの無線ネットワーク制御局から図３Ａの無線ネットワーク制御局にＲＮＣ間トランスポートリンクによって送信される呼出応答メッセージについてのフォーマット例を図示したものである。
【図５】  呼出制御ノードにおいて、図１のネットワークで利用される呼出技術の１つの図示した態様で実行される基本的なステップを示すフローチャートである。
【図６】  無線ネットワーク制御局（ＲＮＣ）（呼出制御ノードとしてサービスをしているのではない）において、図５に呼出技術の１つの図示した態様で実行される基本的なステップを示すフローチャートである。
【図７】  マルチセル領域のオーバラップとレイヤ構造を示す図である。
【図１】
0004444501.tif 000004
【図１Ａ】
0004444501.tif 000005
【図１Ｂ】
0004444501.tif 000006
【図１Ｃ】
0004444501.tif 000007
【図２】
0004444501.tif 000008
【図３Ａ】
0004444501.tif 000009
【図３Ｂ】
0004444501.tif 000010
【図４Ａ】
0004444501.tif 000011
【図４Ｂ】
0004444501.tif 000012
【図５】
0004444501.tif 000013
【図６】
0004444501.tif 000014
【図７】
0004444501.tif 000015